(57)【要約】【課題】アンカーボルト固定装置において、アンカーボルト相互を連結してアンカーボルトの連結箇所の強度を高めることができるボルトカプラーを提供する。【解決手段】テンプレートと、補助フレームとを備える。且つ脚部と支持プレートとを備えたアンカーボルト固定装置を構成する。アンカーボルトの高さを調整するボルトカプラー１を設ける。筒状体１Ａの一方又は両方に連結ナット１Ｂを溶着してボルトカプラー１を設ける。筒状体１Ａの周囲に溶接時のビード１Ｃが巻き付くように構成する。【選択図】  図１
0003220475.tif 000002
【実用新案登録請求の範囲】
【請求項１】
複数本のアンカーボルトの上部を主筋の妨げにならない間隔に保持するテンプレートと、このアンカーボルトの下部をテンプレートと同じ間隔で保持する補助フレームと、該補助フレームの下方に突出したアンカーボルトの下方に連結され該アンカーボルトを支持するボルト状の脚部と、基礎設置位置に敷設された捨てコンクリートの上面に固定され、脚部の下端部を支持固定する金属製の支持プレートと、により構成され、構造物を基礎に連結せしめるアンカーボルトを基礎設置位置に固定するアンカーボルト固定装置において、
脚部の上端とアンカーボルトの下端とに連結して、アンカーボルトの高さを調整するボルトカプラーを設け、該ボルトカプラーは、筒状体の上下端部のいずれか一方又は両方に連結ナットを溶着し、筒状体の周囲に溶接時のビードが巻き付くように構成したことを特徴とするボルトカプラー。
【請求項２】
前記ボルトカプラーの上と下の連結ナットの径を変えて、径の異なる前記アンカーボルトと前記脚部とを連結するように設けた請求項１記載のボルトカプラー。
【請求項３】
前記ボルトカプラーの上と下の連結ナットのピッチを変えて、ピッチの異なる前記アンカーボルトと前記脚部とを連結するように設けた請求項１記載のボルトカプラー。
【考案の詳細な説明】
【技術分野】
【０００１】
本考案は、アンカーボルト固定装置によって建築構造物を基礎に固定する際に、アンカーボルトに連結するボルトカプラーに関するものである。
【背景技術】
【０００２】
建築構築物において、基礎にアンカーボルトを固定し、このアンカーボルトに鉄骨を連結する工事がある。基礎にアンカーボルトを固定するには、基礎を設置する位置に予め支持フレームを構築し、この支持フレームにアンカーボルトを固定する。更に、支持フレームの周囲に基礎を形成する基礎用の主筋やフープを組み付けた後、コンクリートを打設して支持フレームごとアンカーボルトを固定するものである。
【０００３】
このような基礎を構築するには、基礎用の主筋等の他に、地中梁用の主筋等も組み付けることになる。そして、これらの主筋等がアンカーボルトを固定する支持フレームと交錯するので、支持フレームを組み立てるスペースが限られることになっていた。したがって、配筋用図面の製作や支持フレームの組み立てスペースを確保するなどといった多くの手間を要している。
【０００４】
そこで、基礎用配筋の設置作業を妨げずにアンカーボルトを配置できるアンカーボルト固定装置が特許文献１に提案されている。この固定装置によると、複数本のアンカーボルトを所定の間隔に保持するテンプレートと、アンカーボルトをアンカーボルトの鉛直下方で支持するアンカー保持部と、アンカー保持部の下端に連結する連結枠体と、更に連結枠体の下方に連結する調整用ボルトとからなるものである。
【先行技術文献】
【特許文献】
【０００５】
【特許文献１】実用新案登録第３０７７９９８号公報
【考案の概要】
【考案が解決しようとする課題】
【０００６】
特許文献１に記載のアンカーボルト固定装置によると、アンカーボルトの連結箇所を長ナットで連結する構造になっている。そのため、アンカーボルトの径と調整用ボルトの径とが異なる場合には、この固定装置が使用できなくなる不都合があった。
【０００７】
そこで本考案は、上述の課題を解消すべく案出されたもので、基礎用配筋の設置作業を妨げずにアンカーボルトを配置できるアンカーボルト固定装置において、径の異なるアンカーボルトでも連結可能なボルトカプラーの提供を目的とするものである。
【課題を解決するための手段】
【０００８】
上述の目的を達成すべく本考案の第１の手段は、複数本のアンカーボルト４の上部を主筋Ｓの妨げにならない間隔に保持するテンプレート２と、このアンカーボルト４の下部をテンプレート２と同じ間隔で保持する補助フレーム３と、該補助フレーム３の下方に突出したアンカーボルト４の下方に連結され該アンカーボルト４を支持するボルト状の脚部５と、基礎Ｑ設置位置に敷設された捨てコンクリートＲの上面に固定され、脚部５の下端部を支持固定する金属製の支持プレート６と、により構成され、構造物Ｐを基礎Ｑに連結せしめるアンカーボルト４を基礎Ｑ設置位置に固定するアンカーボルト固定装置において、脚部５の上端とアンカーボルト４の下端とに連結して、アンカーボルト４の高さを調整するボルトカプラー１を設け、該ボルトカプラー１は、筒状体１Ａの上下端部のいずれか一方又は両方に連結ナット１Ｂを溶着し、筒状体１Ａの周囲に溶接時のビード１Ｃが巻き付くように構成したものである。
【０００９】
第２の手段は、前記ボルトカプラー１の上と下の連結ナット１Ｂの径を変えて、径の異なる前記アンカーボルト４と前記脚部５とを連結するように設けている。
【００１０】
第３の手段は、前記ボルトカプラー１の上と下の連結ナット１Ｂのピッチを変えて、ピッチの異なる前記アンカーボルト４と前記脚部５とを連結するように設けている。
【考案の効果】
【００１１】
本考案の請求項１によると、ボルトカプラー１によってアンカーボルト４の高さを調整できるので、床面に段差が生じている場合でも、フレキシブルに対応することができる。しかも、ボルトカプラー１は、筒状体１Ａの端部に連結ナット１Ｂを溶着し、筒状体１Ａの周囲に溶接時のビード１Ｃが巻き付くように設けているので、筒状体１Ａと連結ナット１Ｂとが一体化して強力な支持力を有するボルトカプラー１が得られる。
【００１２】
更に、該ボルトカプラー１は、筒状体１Ａの上下端部のいずれか一方又は両方に連結ナット１Ｂを溶着したものであるから、筒状体１Ａの上下端部の両方に連結ナット１Ｂを溶着した場合は、アンカーボルト４と脚部５とを状況に応じてフレキシブルに締結することができ、コストダウンにもつながる。
【００１３】
また、筒状体１Ａの下端部に連結ナット１Ｂを設けない場合は、脚部５の代りに筒状体１Ａの下端部を支持台に直接溶接することも可能になる。
【００１４】
請求項２のごとく、ボルトカプラー１の上と下の連結ナット１Ｂの径を変えて、径の異なるアンカーボルト４と脚部５とを連結するように設けているので、アンカーボルト４と脚部５との径が異なっている場合でも接続することが可能になり、基礎工事の選択肢を増やすことができる。
【００１５】
請求項３のように、ボルトカプラー１の上と下の連結ナット１Ｂのピッチを変えて、ピッチの異なる前記アンカーボルト４と前記脚部５とを連結するように設けているので、アンカーボルト４と脚部５とのピッチが異なっている場合でも接続することが可能になり、基礎工事の選択肢を増やすことができる。
【図面の簡単な説明】
【００１６】
【図１】本考案の一実施例を示す正断面図である。
【図２】本考案のカプラーの他の実施例を示す正面図である。
【図３】本考案の使用状態を示す正面図である。
【図４】本考案のテンプレートを示す平面図である。
【図５】本考案のアンカーボルト固定装置の使用状態を示す正断面図である。
【考案を実施するための形態】
【００１７】
本考案を図示例に基づいて説明する。本考案のボルトカプラー１は、アンカーボルト４を基礎Ｑの設置位置に固定する際に、アンカーボルト４と脚部５と連結する際に使用するものである（図５参照）。
【００１８】
このボルトカプラー１は、筒状体１Ａの上下端部に一対の連結ナット１Ｂを溶接したものである(図１参照)。したがって、筒状体１Ａと連結ナット１Ｂとの境界部分に太いビード１Ｃが形成されており、この太いビード１Ｃがボルトカプラー１の強度を高めている。また、連結ナット１Ｂは、上下端部のいずれか一方に設けることも可能である。
【００１９】
このボルトカプラー１において、上下の連結ナット１Ｂは、それぞれの径を変えることができる(図２（イ）参照)。この場合、アンカーボルト４と脚部５とのボルト径が異なる場合に対応することができる。また、上下の連結ナット１Ｂのピッチを変えることもできる(同図（ロ）参照)。この場合は、アンカーボルト４と脚部５とのボルトのピッチが異なる場合に対応できる。
【００２０】
このボルトカプラー１を使用するアンカーボルト固定装置は、複数本のアンカーボルト４を所定の間隔に保持するテンプレート２と補助フレーム３とを有するものである。
【００２１】
テンプレート２には、アンカーボルト４の上部を所定の間隔に配置する挿通孔２Ａを開穿してあり、この挿通孔２Ａに挿通したアンカーボルト４を固定ナット２Ｂでテンプレート２に固定する（図３参照）。図示のテンプレート２は、挿通孔２Ａを開穿した短冊状の基板２Ｃを４枚組み合わせて環状に連結したものを使用している（図４参照）。このようなテンプレート２により、挿通孔２Ａの間隔設定が正確になり、テンプレート２の強度を高めることもできる。尚、このテンプレート２はアンカーボルト４に鉄骨を連結する際に外され、代わりに鉄骨用のベースプレートＴが装着される（図５参照）。
【００２２】
補助フレーム３は、テンプレート２と同じ構成を成し、アンカーボルト４の下部に配設している（図３参照）。すなわち、テンプレート２と同様に、補助フレーム３に形成した挿通孔３Ａにアンカーボルト４を挿通し、固定ナット３Ｂで補助フレーム３に固定する。このとき、補助フレーム３の上面に、アンカーボルト４を保持する貫通孔周囲に配置された定着板７を設け、アンカーボルト４にネジ止めされた固定ナット３Ｂと該定着板７とを補助フレーム３側に押圧固定するように設けている。
【００２３】
脚部５は、支持プレート６上に支持固定するボルトであり、この支持プレート６は捨てコンクリートＲの上面に固定されている（図５参照）。そして、支持プレート６上で、この脚部５を回転させることで、連結枠体４とアンカー保持部３とを介してアンカーボルト４の高さを調整する。図２に示す脚部５には、固定用の回転操作用の操作ナット５Ａを脚部５に固着している。脚部５の下端部は、アンカーボルト４の高さ調整後に、支持プレート６に溶接されるものである。
【００２４】
支持プレート６は、基礎Ｑ設置位置に予め敷設された捨てコンクリートＲの上に固定されるもので、図示例では、アンカー６Ａで固定する（図５参照）。また、各脚部５の位置にそれぞれ支持プレート６を配する他、一対の帯状支持プレート６や、１枚の支持プレート６を使用するなど、支持プレート６の設置数は任意に変更することができる（図示せず）。
【００２５】
このような構成のアンカーボルト固定装置において、本発明ボルトカプラーは、アンカーボルト４と脚部５とを連結する際に使用する。すなわち、ボルトカプラー１は、ボルト状の脚部５の上端とアンカーボルト４の下端とに連結される部材で、アンカーボルト４の高さを調整するものである。
【００２６】
尚、本考案は図示例に限定されるものではなく、本考案の要旨を変更しない範囲で任意に変更することができるものである。
【符号の説明】
【００２７】
Ｐ  構造物
Ｑ  基礎
Ｒ  捨てコンクリート
Ｓ  主筋
１  ボルトカプラー
１Ａ  筒状体
１Ｂ  連結ナット
１Ｃ  ビード
２  テンプレート
２Ａ  挿通孔
２Ｂ  固定ナット
２Ｃ  基板
３  補助フレーム
３Ａ  挿通孔
３Ｂ  固定ナット
４  アンカーボルト
５  脚部
５Ａ  操作ナット
６  支持プレート
６Ａ  アンカー
７  定着板
【図１】
0003220475.tif 000003
【図２】
0003220475.tif 000004
【図３】
0003220475.tif 000005
【図４】
0003220475.tif 000006
【図５】
0003220475.tif 000007